(57)【特許請求の範囲】
【請求項１】
平坦な面を有する基盤と、当該基盤から突出する柱状部を有する単位部材が３次元的に連結された構造体と、該構造体の外側を覆う覆い部材とを備えた貯水装置において、前記構造体を構成する最下部の単位部材は基盤を下とし柱状部を上方に向けて配置され、前記最下部の単位部材によって形成された空間に傾斜面を設けた貯水装置。
【請求項２】
請求項1記載の貯水装置を構成する構造体を以下の工程に従い形成する貯水装置の施工方法。
・  単位部材を平面上に基盤を下として左右に連結し、第1構造体とする第１の工程。
・  第１構造体を構成する単位部材の柱状部間に流動性材料を充填し、第１構造体の内部に傾斜面を形成する第２の工程。
・  第１構造体の上に、さらに単位部材を一段または二段以上３次元的に連結して構造体とする第3の工程。
【発明の詳細な説明】
【０００１】
【発明の属する技術分野】
本発明は、水を貯留可能な構造体を有する貯水装置およびその施工方法に関するものである。
【０００２】
【従来の技術】
従来、雨水などの水を貯留する貯水装置は、たとえば地下にコンクリート製の水槽を設け、この中に水を貯留することが行われる。水槽の中の水が汚れてきた場合、たとえば貯留期間が長くなり水中の浮遊物が多くなった場合には、この汚れた水を排出して入れ換えることが行われる。この場合、水槽の底面を傾斜させてピットに水を集め排出する。
【０００３】
一方、上記のようなコンクリート製の水槽を設けずに、水を貯留可能な構造体を防水性材料で囲い、この構造体に水を貯留することも行われる。
【０００４】
【発明が解決しようとする課題】
しかしながら、上記のような構造体を、水を排出するための傾斜面に設けることは、構造体の据付の上で容易ではない。すなわち、構造体の下面は一般に平面であり、その下面が水平になるように設置される。このため、構造体の下面と傾斜面との間の隙間に各種の厚みのライナーを噛ませて高さ調整をするので、構造体の据付工事が煩雑となり、工事期間も長くなる。また、隙間が大きい場合、構造体は不安定な状態で据付られることになり、地震その他の要因によりライナーが外れるおそれもある。
【０００５】
本発明は、構造体の下部または下に水を排出するための傾斜面を設けることができることを課題とする。
【０００６】
【課題を解決するための手段】
上記課題を解決するため、本発明は、水を貯留する空間を有する構造体と、該構造体の外側を覆う覆い部材とを備え、該覆い部材は遮水性材料と透水性材料の少なくとも一つが使用され、前記構造体の下部空間に流動性材料が充填され傾斜面が設けられてなることを特徴とする。
【０００７】
このようにすることにより、構造体は水を貯留する空間を有するので、この構造体の下部空間に流動性材料が充填される。流動性材料が充填されると、構造体の下部の一部が埋没され傾斜面が設けられる。したがって、構造体が形成される面の凹凸や局部的傾斜などの形状に左右されることなく傾斜面が設けられる。さらに、構造体は覆い部材によって覆われるので、構造体の外側から流入する水は構造体の空間に貯留される。この水を何らかの理由で排出する場合、たとえば長期間が過ぎて水が汚れて排出される場合、この水は排出される際、その傾斜面に沿って流れ排出される。
【０００８】
さらに、構造体は複数の単位部材が３次元的に連結され、前記単位部材は該単位部材の外側から内側に水が流入して該水を貯留する空間を有し、該単位部材によって形成された空間の下部に流動性材料が充填され傾斜面が設けられると良い。
【０００９】
こうすることによって、構造体は複数の単位部材が３次元的に連結されたものとなる。構造体は、遮水性材料と透水性材料の少なくとも一つが使用された覆い部材によって覆われる。こうすると、構造体の外側から流入する水は、単位部材によって形成された空間に貯留可能となる。そして、構造体の下部空間に流動性材料が充填されて単位部材の一部が埋没され傾斜面が設けられるので、単位部材の空間、すなわち構造体の空間に貯留された水は、排出される際にその傾斜面に沿って流れ排出される。
【００１０】
一方、構造体が傾斜面上に形成される場合、構造体の下面と傾斜面との間に傾斜面に対応して高さの異なる複数の高さ調整部材を介在させると良い。こうすることによって、高さ調整部材は、構造体の下面と傾斜面との間の種々に異なる隙間に介在され、構造体自体は、あたかも水平面上に形成されたと同じ姿勢の安定した状態で設けられる。
【００１１】
高さ調整部材の形状は、構造体の下面の形状に応じて決められる。構造体の下面が平面である場合は、高さ調整部材の上端を平坦面とすると良い。構造体の下面が柱状部の先端面である場合、高さ調整部材は、この柱状部が挿入される円筒としても良い。円筒の下端を傾斜面に平行な面で切断した楕円面とする。円筒の内側に流動性材料を充填することにより、高さの異なる高さ調整部材を設けることができる。
【００１２】
また、本発明は、水を貯留可能な空間を有する複数の単位部材が平面上に一段または二段以上に３次元的に連結された第１構造体を形成する第１の工程と、該第１の工程の後に前記第１構造体を形成する複数の単位部材の空間に流動性材料が充填され該単位部材の一部が埋没され該第１構造体の下部に傾斜面が設けられる第２の工程と、該第２の工程の後に前記第１構造体の上に、さらに一段または二段以上の前記複数の単位部材または水を貯留可能な空間を有する別の複数の単位部材が３次元的に連結された第２構造体を形成する第３の工程と、該第３の工程の後に前記第１構造体および前記第２構造体の外側を遮水性材料と透水性材料の少なくとも一つで覆う第４の工程とを含むことを特徴とする。
【００１３】
このようにすると、第１構造体は流動性材料が充填される前に平面上に形成される。流動性材料は、この第１構造体の上から充填され、最下段に位置する単位部材を含む第１構造体の下部空間に充填される。流動性材料が充填されると、第１構造体の単位部材の一部は充填された流動性材料の中に埋没され傾斜面が設けられる。
【００１４】
傾斜面が設けられた第１構造体の上に、さらに第１構造体を形成する単位部材と同じものか、別の単位部材が積み重ねられて３次元的に連結され、第２構造体が形成される。傾斜面は、第２構造体が無い状態で流動性材料が充填され設けられるので、施工が容易である。また、構造体が平面上に形成されることで傾斜面が設けられるので施工が簡略化され工期も短縮される。特に、構造体が略水平面上に形成される場合は、さらに施工が簡略化され工期も短縮されるとともに施工がやり易い。
【００１５】
次に本発明を構成する各要件についてさらに詳しく説明する。本発明の貯水装置は、雨水、河川水、海水、井戸水、地下水、その他の水を貯留するものである。防火や災害時の飲料などの緊急用水として使用される場合や、短時間に多量に降る雨水を貯留して水の被害を防止するなどの目的に使用される場合を含むものである。
【００１６】
構造体は、水を貯留する空間を有するものであれば、全体が一体的なものや幾つかのサブ構造体が連結されたもの、または軽量材料で形成された複数の単位の部材（単位部材）が連結されたものなどとすることができる。特に、複数の単位部材が３次元的に連結された構造体は、単位部材が上下方向に連結され積み重ねられるとともに、左右、前後方向に平面的にも連結される。
【００１７】
上記のような単位部材が３次元的に連結された構造体は、これが組み立てられる場合、大きさ、重量の小さい単位部材が組み立てられるので単位部材の連結施工がやり易く、短期間に組み立てられる。また、種々の大きさおよび形状の構造体に対して対応でき、大きさ、形状の自由度が大きい。
【００１８】
覆い部材は、構造体に水を貯留できるように覆うもので、遮水性材料や透水性材料が使用される。遮水性材料は、水を透さないものであれば特に限定されないが、たとえば熱融着ゴムシート（ＥＰＤＭ／熱融着タイプ）などのゴムシートや塩ビＰＶＣシートなどの合成樹脂シート、あるいは合成樹脂板、鋼板や軽金属板などの金属板で水に対する耐食性に優れたものなどが好ましい。
【００１９】
透水性材料は、構造体の空間に貯留された水を徐々に時間をかけて地下に浸透させる場合に使用される。貯留された水を徐々に通過させる材料であれば特に限定されない。たとえば、ポリエステルとポリプロピレンの複合張り合わせシートなどが使用されると良い。
【００２０】
遮水性シートや透水性シートの片側または両側にはポリエステルによる長繊維不織布などの保護用シートが設けられると良い。保護用シートが設けられることにより遮水性シートや透水性シートの破損が防止される。
【００２１】
単位部材は、その外側から内側に水が流入して、この水を貯留する空間を有するもので、互いに連結可能なものであれば特に限定されない。たとえば、その形状が枠状、箱状、容器状あるいは先に記した基盤に柱状部を突出させた形状などとすることができる。特に箱状、容器状などの場合、水が単位部材間を移動できるように、単位部材の側壁に通孔を設けておくと良い。この通孔を介して貯留された水が移動する。
【００２２】
単位部材は、強度を有し、かつ軽量材料で形成されると良い。単位部材が強度を有し、軽量であることにより、これを組み立てた構造体も強度を有し、軽量となる。一つ当たりの単位部材が軽量であるので、運搬が容易であり短期間に組み立てられる。このような単位部材の材質としては、ポリプロピレンなどの合成樹脂、アルミニウム合金などの軽金属、軽量コンクリートなどで水に対する耐腐食性を有する材料とする。
【００２３】
また、構造体は、単位部材として一方の側に略平坦な面を有する基盤と、この基盤の他方の側に突出させた柱状部とを有するものが使用され、単位部材が連結される際には、基盤同士や柱状部の先端同士が連結されるものとしても良い。このようにすると構造体全体が単位部材の複数段に積み重なった、かつ平面的に広がったものとなり、３次元的な立体的構造体が形成される。基盤と基盤の間に柱状部が位置し、水の貯留される空間が形成される。そして、この構造体の下部空間に流動性材料が充填され傾斜面が形成される。
【００２４】
この場合、柱状部の外側断面形状は、特に限定されないが円形、多角形などとしても良い。さらに、柱状部の形状が筒状に形成されると良い。筒状に形成された柱状部は軽量であり、かつ剛性があり耐荷重性に優れる。特に、柱状部を先端に向かって漸次径が縮小した筒状に形成されると良い。こうすることにより単位部材を運搬ないし輸送する際に、幾つかの単位部材の筒状の柱状部を重ね合わせて運搬、輸送でき、運搬、輸送の効率を向上させることができる。さらに、柱状部の形状を円筒状とすることにより、高さ調整部材の形状を円筒とすることができ、製作が容易となる。
【００２５】
単位部材の空間率Ｓの上限は９７％までとする。反対に空間率Ｓが小さいと、部材の上記強度を大きくできるが、部材の占める体積が大きくなり、柱状部が形成する空間が小さくなる。基盤および柱状部の大きさ、肉厚などは構造体にかかる荷重を十分支えられる大きさとする。基盤および柱状部の材質は、同じものとする方が製造上好ましい。
【００２６】
構造体の下面として基盤の一方の側が位置する場合は、その基盤の一方の側が同一平面となる。構造体の下面として単位部材の柱状部の先端が位置する場合は、その先端面が同一平面となる。この構造体の下面と傾斜面との間に高さ調整部材を介在させる。
【００２７】
流動性材料は、構造体の下部空間に充填されるもので、少なくとも充填の際は流動性を有するものが使用される。充填される流動性材料は、単一の材料でも良いが、複数の材料が混合されたものでも良い。たとえば、砕石、砂、土、粘土、コンクリート、モルタル、その他の無機物あるいは合成樹脂などが単独で、または混合された状態で使用される。この場合、少なくとも傾斜面を形成する表層は充填後に固化する固化材料が好ましい。そして、たとえば下層として砕石が充填され、この下層の上にコンクリートが充填され、さらにこの上がモルタルで仕上げられたものでも良い。
【００２８】
構造体が設けられる傾斜面の表面形状は、必ずしも単調な傾斜面でなくても良い。局部的には凹凸があるが、全体として水の排出が可能な面に対しても好適に対応できる。
【００２９】
【発明の実施の形態】
以下、本発明に係る貯水装置の実施形態を図面に基づいて詳細に説明する。なお、図１〜８において、同一または同等の構造、作用部分には同一符号を付けて示す。
【００３０】
図１は、本発明に係る貯水装置の第１実施形態を示す断面図である。図２は、図１の I−I 線断面図である。図１に示すように、第１実施形態の貯水装置１は、たとえば道路の歩道や公園などの地下に設けられる。一度に多量の雨が降った場合にその雨水を貯留する。貯留された雨水は、たとえば防火や災害時の飲料水あるいはトイレ用水など緊急用水として使用される。
【００３１】
貯水装置１は、地面８６を掘り下げた凹みの底８７に設けられた基礎８９と、この基礎８９の上に設けられた構造体２と、この構造体２の外側を覆う遮水用シート（覆い部材）６２とを備える。
【００３２】
基礎８９は、底８７に敷設された基礎用シート９３の上に、たとえば粒径４０〜０ｍｍのものを含み、厚さ２００ｍｍの砕石９１と、この砕石９１の上に基礎用シート９４を介して敷設された粒径７〜０ｍｍのものを含み、厚さ１００ｍｍの砕石９２とを有する。基礎用シート９３、９４としては、たとえば厚さ０.５ｍｍのポリエステルが使用される。
【００３３】
構造体２は、基礎８９の上に、たとえば厚さ１０ｍｍのポリエステル単繊維主体などの保護用シート６４を介して設けられ、複数の単位部材５が３次元的に連結される。構造体２は、上記保護用シート６４の外側が遮水用シート（覆い部材）６２で覆われる。さらに、遮水用シート６２の外側に、厚さ４ｍｍのポリエステルなどの保護用シート６５を介して土９５が埋め戻される。
【００３４】
さらに、構造体２は、この第１実施形態の場合、単位部材５が上下方向に８段に連結され積み重ねられる。さらに、左右方向（紙面の左右方向）に９列が設けられる。さらに、構造体２は、前後方向（図１の紙面に垂直な方向）にも連結される。単位部材５は、この単位部材５の外側から内側に水が流入して水を貯留する空間１１を有する。したがって、構造体２は、単位部材５によって形成された空間１１を有することになる。
【００３５】
さらに、構造体２は、単位部材５によって形成された空間１１の下部にコンクリート（流動性材料）７１が充填され傾斜面７５が設けられる。コンクリート７１は、充填される際に流動性を有し、充填された直後は単位部材５の周囲に流動し充填される。このとき、充填されたコンクリート７１の上面は傾斜面７５となるように形成される。充填された後は固化して傾斜面を形成する。
【００３６】
遮水用シート６２は、構造体の空間１１に水を貯留できるようにするもので、遮水性材料が使用される。遮水性材料は、水を透さないものであれば特に限定されないが、たとえば厚さ１ｍｍの合成ゴムシートが使用される。貯留した水を地下に浸透させたい場合は、一部または全部に透水性材料のシートを設ける。透水性材料のシートを設けることにより構造体の空間１１に貯留された水を徐々に時間をかけて地下に浸透させることができる。透水性材料としては、たとえば厚さ０.１ｍｍのポリエステルとポリプロピレンの複合張り合わせシートなどが使用される。
【００３７】
さらに、貯水装置１は管理用マンホール６６を有する。マンホール６６は、単位部材５の一つまたは複数の垂直方向投影面が形成する垂直方向の中空状空間であり、その上部は、截頭中空円錐状の防護ハット６８と、筒状の受台６９と、必要に応じ受台６９の下に図示していない調整用リングが設けられる。防護ハット６８の上端には蓋６７が設けられる。また、構造体２の側面には盤状の側部材５７が設けられ、埋め戻された土９５による側圧を支える。
【００３８】
図３は、第１実施形態の単位部材を示し、（Ａ）は平面図、（Ｂ）は（Ａ）のII−II線断面図である。単位部材５は、一方の側に平坦な面１６を有する基盤１３と、この基盤１３の他方の側に突出させた柱状部３０とを有する。因みに、図３（Ｂ）において、中央線４３より左側は正面図、中央線４３より右側は断面図を示す。単位部材５は剛性を有する軽量材料で形成され、この実施形態では合成樹脂であるポリプロピレンで形成される。
【００３９】
単位部材の基盤１３は、略平坦な面１６を有する板部材１５と、板部材１５の縁に沿って板部材１５の他方の側に形成された縁枠１８とを有する。板部材１５の他方の側（縁枠１８の設けられた側）には図示していない補強リブが格子状に設けられる。
【００４０】
基盤１３は、その縁近傍の四つの隅２０に縁連結部２２を有する。縁連結部２２は、平坦な面１６から窪ませた面２２ａと、この面２２ａに設けられた中心寄り（または中央寄り）の内側係合孔２５および外寄り（または縁寄り）の外側係合孔２６とで形成される。単位部材の基盤１３同士は、この縁連結部２２に係合可能な図示していない縁連結部材を介して連結される。縁連結部２２に縁連結部材を係合する際は、通常中心寄りの内側係合孔２５が利用される。
【００４１】
基盤１３の縁辺中間位置に形成された四箇所の縁連結部２３は、たとえばこの基盤１３の大きさの二分の一の大きさの別の単位部材を連結する際に利用される。縁連結部２３は、縁連結部２２と同様に、平坦な面１６から窪ませた面２３ａと、この面２３ａに設けられた中心寄り（または中央寄り）の二つの内側係合孔２５および外寄り（または縁寄り）の二つの外側係合孔２６とを有する。通常上記の別の構造部材を連結する際には外寄りの外側係合孔２６を利用する。
【００４２】
さらに、基盤１３は、一方の側（平坦な面１６の位置する側）と他方の側（補強リブのある側）とを通じさせる通孔２８を有する。通孔２８は、基盤の中心４２に対して点対称に長方形の孔が１６箇所、補強リブを避けた位置に設けられる。通孔２８の設けられる位置とその形状、大きさは、本実施形態に限定されず、単位部材５の強度ないし剛性が確保される適宜の位置と形状、大きさに設けられる。
【００４３】
柱状部３０は、基盤１３の他方の側に中心４２を点対称に四つ突出させて二重筒状に設けられる。柱状部３０は、先端３１に向かって漸次径が縮小する外筒３８と、先端３１から内側に折り返して平坦な面１６位置まで漸次径が縮小して延在させた内筒３９とを有する。内筒３９の板部材１５側端面は閉塞され、内筒３９の内側に補強リブ４１が形成される。
【００４４】
このように、柱状部３０は外筒３８と内筒３９とを有するので、平坦な面１６の外筒３８と内筒３９との間に環状の開口が形成される。また、柱状部３０の先端３１の面には円形の開口が形成される。
【００４５】
図４は、第１実施形態の二つの単位部材の柱状部先端３１同士が連結された状態を示す断面図である。構造体２は、このような二つの単位部材の柱状部先端３１同士が合わされて連結した要素４を左右、前後および上下に連結し３次元的に組み立てられたものである。このように第１実施形態の構造体２は要素４が上下、左右、前後に連なった形状をしているが、後述の第３実施形態の構造体２のように最下段または最上段に単位部材一つの段が設けられた形状の場合もある。
【００４６】
図５は、第１実施形態の単位部材５ａ〜５ｃ同士が連結された状態を示す要部断面図である。破砕部分Ｐは、基盤１３同士の連結状態を示す。柱状部３０ａ、３０ｂは、その先端３１に設けられた端連結部３２を有する。単位部材５ａと単位部材５ｂとは、端連結部の係合孔３４に係合可能な端連結部材５１を介して柱状部の先端３１同士が係合され連結される。
【００４７】
端連結部３２は、柱状部の先端３１の平坦な面と、この面の円周方向に等間隔に設けられた八つの係合孔（図示せず）とで形成される。この実施形態はこの八つの係合孔の内の対向する二つの係合孔３４に端連結部材５１の突起５２、５３を挿入し係合させる。突起５２と突起５３とは９０度のずれを持たせているので、突起５２を実線で、突起５３を２点鎖線で示している。
【００４８】
上下方向に位置する単位部材５ｂと単位部材５ｃとは、破砕部分Ｐに示すように、基盤１３ｂ、１３ｃに設けられた内側係合孔２５ｂ、２５ｃに縁連結部材４６の突起４７を挿入して係合させ連結させる。また、左右、前後方向に位置する単位部材は、基盤の縁１７同士が縁連結部材４６を介して連結される。
【００４９】
以上の構造を有する第１実施形態の貯水装置１は、次のように作用する。すなわち、図1において、構造体２は、複数の単位部材５によって３次元的に形成されたものとなる。さらに、構造体２は、遮水用シート６２によって覆われる。こうすると、構造体２に流入する水は、単位部材の空間１１に、すなわち構造体の空間１１に貯留される。
【００５０】
また、構造体２は、平坦な水平面９０上に載置される。さらに、構造体２の下部空間１１にコンクリート７１が充填され傾斜面７５が形成される。このようにすると、構造体２は、平坦な水平面９０上に載置されるので、単位部材同士の位置関係が正確に確定し、単位部材の連結が確実になされ安定した状態で設けられる。かつ構造体の下部に傾斜面７５が形成される。構造体の空間１１に貯留された水は、排出される際にその傾斜面７５に沿って流れ排出される。図２に示すように、水は矢印９６のように傾斜面７５上を流れ、ピット８８に溜まり、排出される。
【００５１】
また、複数の単位部材５が３次元的に連結された構造体２は、これが組み立てられる場合、大きさ、重量の小さい単位部材５が組み立てられるので単位部材５の連結施工がやり易い。よって短期間に構造体２が組み立てられる。さらに、単位部材５が強度を有し、軽量であることにより、これを組み立てた構造体２も強度を有し軽量となる。
【００５２】
図６は、本発明に係る貯水装置の第２実施形態を示す要部断面図である。第２実施形態の貯水装置１は、構造体の下部空間１１に、粒度Ｃ−４０の砕石７０、すなわち砕石の粒径が０〜４０ｍｍであるものが傾斜状に充填される。さらに、砕石７０の上にモルタル７２の層が設けられる。こうすることにより、傾斜面７５を形成する施工期間が短縮されるとともにモルタル７２の使用量が少なくなる。図６に示した第２実施形態において、その他の部分の構造と作用は、図１〜５に示した第１実施形態の場合と同じであるので、その説明を省略する。
【００５３】
図７は、本発明に係る貯水装置の第３実施形態を示す断面図である。構造体２は、粒度Ｃ−４０の砕石８４が傾斜状に充填された層と、この層上に設けられたコンクリートまたはモルタル８５の層とで形成される。コンクリートまたはモルタル８５の層の上面は傾斜面７７となる。このとき、構造体の下面３と傾斜面７７との間に傾斜面７７に対応して高さの異なる複数の高さ調整部材７９を、保護用シート６４を介して介在させる。
【００５４】
図８は、第３実施形態の高さ調整部材７９を示す正面図である。高さ調整部材７９は、円筒状の支柱８０と、支柱８０の下端に固定された円板状または矩形板状の座板８１と、支柱８０の内側に充填された充填材８２とを有する。支柱８０の高さＨおよび充填材８２の充填される高さｈは、支えるべき構造体２の下面の形状に応じて決められる。
【００５５】
構造体２の下面が、この図８のように単位部材の柱状部３０である場合は、高さ調整部材の支柱８０は、柱状部３０の先端が挿入される円筒にすると良い。構造体２の下面が単位部材の基盤１３の平坦な面である場合は、高さ調整部材の支柱８０は平坦な端面を有する円柱でも良い。支柱８０の下端面は、傾斜面に平行な面で切断した楕円面とする。
【００５６】
第３実施形態の貯水装置１は、構造体の下面３と傾斜面７７との間に傾斜面７７に対応して高さの異なる複数の高さ調整部材７９を介在させることにより、構造体２の下面は、水平となる位置、角度に設けられる。また、高さ調整部材７９は、構造体２が設けられる面が必ずしも単調な傾斜面でなくても良く、局部的に凹凸があり全体として水の排出が可能な面に対しても好適に対応できる。図７、８に示した第３実施形態において、その他の部分の構造と作用は、図１〜５に示した第１実施形態の場合と同じであるので、その説明を省略する。
【００５７】
【発明の効果】
本発明によれば、構造体の下部または下に水を排出するための傾斜面を設けることができる。
【図面の簡単な説明】
【図１】本発明に係る貯水装置の第１実施形態を示す断面図である。
【図２】図１の I−I 線断面図である。
【図３】第１実施形態の単位部材を示し、（Ａ）は平面図、（Ｂ）は（Ａ）のII−II線断面図である。
【図４】第１実施形態の単位部材の先端同士が連結された要素を示す断面図である。
【図５】第１実施形態の単位部材同士が連結された状態を示す要部断面図である。
【図６】本発明に係る貯水装置の第２実施形態を示す要部断面図である。
【図７】本発明に係る貯水装置の第３実施形態を示す断面図である。
【図８】第３実施形態の高さ調整部材を示す正面図である。
【符号の説明】
１  貯水装置
２  構造体
３  下面
５  単位部材
１１  空間
６２  遮水用シート（覆い部材）
７０  砕石（流動性材料）
７１  コンクリート（流動性材料）
７２  モルタル（流動性材料）
７５  傾斜面（流動性材料が充填され設けられた）
７７  傾斜面（基礎の）
７９  高さ調整部材
Ｈ、ｈ  高さ
【図１】
0004625987.tif 000002
【図２】
0004625987.tif 000003
【図３】
0004625987.tif 000004
【図４】
0004625987.tif 000005
【図５】
0004625987.tif 000006
【図６】
0004625987.tif 000007
【図７】
0004625987.tif 000008
【図８】
0004625987.tif 000009